(57)【要約】      （修正有）【課題】振動部材を支持する高剛性板材であって剛性の向上が図られた高剛性板材を得る。【解決手段】高剛性板材２２は、第１の突出部２２ｄと、介在部２２iと、第２の突出部２２ｆと、を有している。第１の突出部２２ｄは、振動部材を支持する第１の頂壁２２ｄａと、第１の頂壁２２ｄの外周縁部２２ｄｃに接続された第１の周壁２２ｄｂと、を有し、筐体の内側または筐体の外側に向けて突出している。介在部２２ｉは、第１の方向に沿って見た場合に第１の頂壁２２ｄを囲む位置に設けられ、第１の周壁２２ｄｂに第１の曲部２２ｇを介して接続されている。第２の突出部２２ｆは、環状である。第２の突出部２２ｆは、第１の方向に沿って見た場合に第１の頂壁２２ｄを囲む位置に設けられた第２の頂壁２２ｆａと、介在部２２ｉと第２の曲部２２ｈを介して接続され第２の頂壁２２ｆａの内周縁部２２ｆｄに接続された第２の周壁２２ｆｂとを有している。【選択図】図５
2018162908.tif 000002
【特許請求の範囲】
【請求項１】
振動部材を支持する第１の頂壁と、前記第１の頂壁の外周縁部に接続された第１の周壁と、を有し、筐体の内側または前記筐体の外側に向けて突出した第１の突出部と、
第１の方向に沿って見た場合に前記第１の頂壁を囲む位置に設けられ、前記第１の周壁に第１の曲部を介して接続された介在部と、
第１の方向に沿って見た場合に前記第１の頂壁を囲む位置に設けられた第２の頂壁と、前記介在部と第２の曲部を介して接続され前記第２の頂壁の内周縁部に接続された第２の周壁と、を有し、前記筐体の内側または前記筐体の外側に突出した環状の第２の突出部と、
を有した、高剛性板材。
【請求項２】
前記介在部は、環状である、請求項１に記載の高剛性板材。
【請求項３】
前記第１の周壁は、環状である、請求項１または２に記載の高剛性板材。
【請求項４】
前記第２の周壁は、環状である、請求項１〜３のうちいずれか一つに記載の高剛性板材。
【請求項５】
前記介在部は、前記第１の方向と交差する方向に突出した複数の第３の突出部を有した、請求項１〜４のうちいずれか一つに記載の高剛性板材。
【請求項６】
互いに反対方向に突出する二つの前記第３の突出部の組が一つ以上設けられた、請求項５に記載の高剛性板材。
【請求項７】
互いの前記第３の突出部の突出方向が交差する二つの前記組が設けられた、請求項６に記載の高剛性板材。
【請求項８】
前記第１の突出部は、
前記振動部材を支持するための複数の支持部と、
前記支持部毎に設けられた角部を有し前記第１の方向に沿って見た場合に多角形状に構成された前記第１の頂壁と、
を有した、請求項１〜７のうちいずれか一つに記載の高剛性板材。
【請求項９】
筐体と、
前記筐体に設けられた請求項１〜８のうちいずれか一つに記載の高剛性板材と、
前記筐体の内部に収容された熱交換器と、
前記筐体の内部に収容された、モータと、
前記筐体の内部に収容され、前記モータによって駆動されることにより、前記熱交換器を介して前記筐体の外部へ送風するファンと、
を備えた、空気調和機。
【発明の詳細な説明】
【技術分野】
【０００１】
本発明の実施形態は、高剛性板材および空気調和機に関する。
【背景技術】
【０００２】
従来、筐体の内部にモータ等の構成部品が収容された空気調和機が知られている。
【先行技術文献】
【特許文献】
【０００３】
【特許文献１】特開２０００−４６３６６号公報
【発明の概要】
【発明が解決しようとする課題】
【０００４】
この種の空気調和機では、振動源であるターボファンと振動伝達部材であるモータとで構成される振動部材を支持する筐体の壁の剛性が低いと、ターボファンの振動に起因した壁の振動が大きくなることがある。そこで、振動部材を支持する高剛性板材であって剛性の向上が図られた高剛性板材および当該高剛性板材を備えた空気調和機が得られれば、好ましい。
【課題を解決するための手段】
【０００５】
実施形態の高剛性板材は、第１の突出部と、介在部と、第２の突出部と、を有している。前記第１の突出部は、振動部材を支持する第１の頂壁と、前記第１の頂壁の外周縁部に接続された第１の周壁と、を有し、筐体の内側または前記筐体の外側に向けて突出している。前記介在部は、第１の方向に沿って見た場合に前記第１の頂壁を囲む位置に設けられ、前記第１の周壁に第１の曲部を介して接続されている。前記第２の突出部は、環状である。前記第２の突出部は、第１の方向に沿って見た場合に前記第１の頂壁を囲む位置に設けられた第２の頂壁と、前記介在部と第２の曲部を介して接続され前記第２の頂壁の内周縁部に接続された第２の周壁と、を有し、前記筐体の内側または前記筐体の外側に突出している。
【図面の簡単な説明】
【０００６】
【図１】図１は、実施形態の空気調和機の例示的かつ模式的な斜視図である。
【図２】図２は、実施形態の空気調和機の例示的かつ模式的な断面図である。
【図３】図３は、実施形態の空気調和機の天壁の例示的かつ模式的な斜視図である。
【図４】図４は、実施形態の空気調和機の天壁の例示的かつ模式的な底面図である。
【図５】図５は、図４のV-V断面図である。
【図６】図６は、図４のVI-VI断面図である。
【発明を実施するための形態】
【０００７】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つを得ることが可能である。
【０００８】
また、各図では、便宜上、方向が規定されている。Ｘ方向、Ｙ方向、およびＺ方向は、互いに直交している。また、本明細書では、序数は、部品や部材を区別するために用いられており、順番や優先度を示すものではない。
【０００９】
図１は、本実施形態の空気調和機１０の例示的かつ模式的な斜視図である。図２は、本実施形態の空気調和機１０の例示的かつ模式的な断面図である。
【００１０】
図１，２に示される空気調和機１０は、建物の天井（不図示）に配置される所謂カセット型の室内機として構成されている。空気調和機１０は、建物の外部に配置される室外機（不図示）とによって、冷房および暖房を行う空気調和システムを構成している。
【００１１】
空気調和機１０は、筐体１１と、熱交換器１２（図２）と、送風機１３（図２）と、を備えている。筐体１１の内部に、熱交換器１２および送風機１３が収容されている。なお、以下の説明における上下方向は、筐体１１（空気調和機１０）の上下方向（Ｚ方向およびＺ方向の反対方向）である。
【００１２】
筐体１１は、略方形状に構成されている。筐体１１は、ベース部２０と、化粧パネル２１と、を有している。ベース部２０は、天壁２２と、筒部２３と、を有している。ベース部２０は、例えば鉄やステンレス等の金属材料によって構成されている。なお、図２では、筐体１１は概略的に示されている。
【００１３】
天壁２２は、ＸＹ平面に広がっている。すなわち、天壁２２は、Ｚ方向（第１の方向）と交差する方向に延びている。天壁２２は、例えば、一枚の板素材をプレス加工することによって製造される。なお、天壁２２の詳細は後述する。天壁２２は、板や天板とも称される。天壁２２は、高剛性板材の一例である。Ｚ方向は、第１の方向の一例である。
【００１４】
筒部２３は、天壁２２の外縁部２２ａから下方（Ｚ方向の反対方向）に延びている。筒部２３は、建物の躯体に固定されている。これにより、筐体１１が建物の躯体に固定されている。筒部２３は、板部や周部とも称される。
【００１５】
化粧パネル２１は、筒部２３の下端部の開口部を覆った状態で、筒部２３に固定されている。化粧パネル２１には、吸込口２１ａ（図１）および吹出口２１ｂ（図１）が設けられている。吸込口２１ａは、化粧パネル２１の中央部に設けられている。吸込口２１ａは、複数のスリットによって構成され、全体的に四角形状をなしている。吸込口２１ａの周囲に、当該吸込口２１ａを囲むように細長い四角形状の複数の吹出口２１ｂが設けられている。吸込口２１ａおよび吹出口２１ｂは、化粧パネル２１を貫通しており、筐体１１の内外を連通している。すなわち、筐体１１は、吸込口２１ａおよび吹出口２１ｂを介して空気の出入りが可能な構成となっている。化粧パネル２１は、底壁や、底板とも称される。
【００１６】
図２に示されるように、熱交換器１２は、四角筒状に構成されて上下方向に延び、送風機１３を囲んでいる。熱交換器１２は、室外機に設けられた圧縮機や室外熱交換器等と冷媒管を介して接続され、これら圧縮機や室外熱交換器とともに冷凍サイクルを構成している。熱交換器１２では、送風機１３によって送られる室内の空気と、当該熱交換器１２内を流れる冷媒との間で熱交換が行われる。
【００１７】
図２に示されるように、送風機１３は、モータ３０と、ファン３１と、を有している。モータ３０は、ケース３０ａと、回転軸３０ｂと、を有している。ケース３０ａは、天壁２２に固定されている。回転軸３０ｂは、中心軸Ａｘ周りに回転可能にケース３０ａに支持され、ケース３０ａから下方に延びている。中心軸Ａｘは、上下方向に沿っている。モータ３０に通電がされると、回転軸３０ｂが回転する。モータ３０は、ファン３１により生じる振動を伝達する振動伝達部材の一例である。
【００１８】
ファン３１は、モータ３０の回転軸３０ｂに固定され、回転軸３０ｂと一体に中心軸Ａｘ周りに回転する。ファン３１は、振動を生じる振動源の一例である。また、振動伝達部材であるモータ３０と振動を生じる振動源であるファン３１を総じて振動部材と称される。ファン３１は、中心軸Ａｘの軸方向から吸い込んだ空気を中心軸Ａｘの径方向に吹き出すターボファンとして構成されている。ファン３１の中心軸Ａｘの径方向外側に熱交換器１２が配置されており、ファン３１は、熱交換器１２に囲まれている。ファン３１は、モータ３０に駆動されることにより、吸込口２１ａから筐体１１の内部に吸い込んだ空気を熱交換器１２を介して筐体１１の外部へ送風する。
【００１９】
上記構成では、冷凍サイクル運転中に、送風機１３により、室内の空気が吸込口２１ａから筐体１１の内部に吸い込まれる。筐体１１に吸い込まれた空気は、熱交換器１２を通過する。そして、熱交換器１２内の冷媒と熱交換器１２を通過する空気との間で熱交換がされる。冷房運転の場合には、空気は冷やされて吹出口２１ｂから吹き出される。暖房運転の場合には、空気は暖められて吹出口２１ｂから吹き出される。
【００２０】
次に、天壁２２について詳細に説明する。図３は、本実施形態の空気調和機１０の天壁２２の例示的かつ模式的な斜視図である。図４は、本実施形態の空気調和機１０の天壁２２の例示的かつ模式的な底面図である。図５は、図４のV-V断面図である。図６は、図４のVI-VI断面図である。
【００２１】
図３，４に示されるように、天壁２２は、外面２２ｂと、内面２２ｃと、を有している。また、天壁２２の外縁部２２ａは、四つの辺部２２ａａ〜２２ａｄと、四つの接続部２２ａｅ〜２２ａｈと、を有している。外面２２ｂは、上面とも称され、内面２２ｃは、下面とも称される。
【００２２】
辺部２２ａａ，２２ａｃは、Ｘ方向に沿って直線状に延びている。辺部２２ａａ，２２ａｃは、ベース部２０の中央部が互いの間に位置するようにＹ方向に互いに間隔を空けて設けられている。辺部２２ａａ，２２ａｃは、互いに略平行である。
【００２３】
辺部２２ａｂ，２２ａｄは、Ｙ方向に沿って直線状に延びている。辺部２２ａｂ，２２ａｄは、ベース部２０の中央部が互いの間に位置するようにＸ方向に互いに間隔を空けて設けられている。辺部２２ａｂ，２２ａｄは、互いに略平行である。
【００２４】
四つの接続部２２ａｅ〜２２ａｈは、四つの辺部２２ａａ〜２２ａｄを接続している。接続部２２ａｅは、辺部２２ａａのＸ方向の端部と辺部２２ａｂのＹ方向の端部とに渡って直線状に設けられ、Ｘ方向およびＹ方向に対して傾斜している。
【００２５】
接続部２２ａｆは、辺部２２ａｂのＹ方向の反対方向の端部と辺部２２ａｃのＸ方向の端部とに渡って直線状に設けられ、Ｘ方向およびＹ方向に対して傾斜している。
【００２６】
接続部２２ａｇは、辺部２２ａｃにおけるＸ方向の反対方向の端部と、辺部２２ａｄにおけるＹ方向の反対方向の端部とに渡って直線状に設けられ、Ｘ方向およびＹ方向に対して傾斜している。
【００２７】
接続部２２ａｈは、辺部２２ａｄのＹ方向の端部と、辺部２２ａａにおけるＸ方向の反対方向の端部とに渡って段差状に設けられている。接続部２２ａｈは、三つの直線部２２ａｉ〜２２ａｋを有している。直線部２２ａｉは、辺部２２ａｄのＹ方向の端部から直線状に延びており、Ｘ方向およびＹ方向に対して傾斜している。直線部２２ａｊは、直線部２２ａｉのＸ方向の端部からＹ方向に直線状に延びている。直線部２２ａｋは、直線部２２ａｊのＹ方向の端部と、辺部２２ａａにおけるＸ方向の反対方向の端部とに渡って直線状に設けられ、Ｘ方向およびＹ方向に対して傾斜している。なお、本実施形態では、接続部２２ａｈは段差状に設けられているが、この形状に限られず、辺部２２ａｄのＹ方向の端部と、辺部２２ａａにおけるＸ方向の反対方向の端部とを接続する構成であればどの様な形状であってもよい。
【００２８】
また、図３〜５に示されるように、天壁２２は、第１の突出部２２ｄと、第２の突出部２２ｆと、第１の曲部２２ｇと、第２の曲部２２ｈと、介在部２２ｉと、を有している。第１の突出部２２ｄは、天壁２２の中央部に設けられ、第２の突出部２２ｆは、第１の突出部２２ｄの周囲に設けられている。また、第１の曲部２２ｇ、第２の曲部２２ｈ、および介在部２２ｉは、第１の突出部２２ｄと第２の突出部２２ｆとの間に設けられている。第１の曲部２２ｇ、第２の曲部２２ｈ、および介在部２２ｉは、第１の突出部２２ｄと第２の突出部２２ｆとの間に介在した介在部２２ｋを構成している。第１の突出部２２ｄは、内側突出部やビードとも称され、第２の突出部２２ｆは、外側突出部やビードとも称される。
【００２９】
第１の突出部２２ｄは、筐体１１の内側に向けて突出している。詳細には、第１の突出部２２ｄは、介在部２２ｋから筐体１１の内側に向けて突出している。第１の突出部２２ｄにおける外面２２ｂには、凹部２２ｍ（開口部）が設けられている。第１の突出部２２ｄは、第１の頂壁２２ｄａと、第１の周壁２２ｄｂと、を有している。第１の頂壁２２ｄａは、ＸＹ平面に沿って広がっている。
【００３０】
第１の周壁２２ｄｂは、第１の頂壁２２ｄａ周りに環状に構成され、第１の頂壁２２ｄａの外周縁部２２ｄｃに接続されている。第１の頂壁２２ｄａは、モータ３０を支持している。第１の頂壁２２ｄａは、モータ３０を介してファン３１を支持している。言い換えると、第１の頂壁２２ｄａは、振動部材を支持している。詳細には、第１の頂壁２２ｄａには、Ｚ方向に沿って見た場合にモータ３０の中心軸Ａｘ周りに位置された複数（一例として三つ）の支持部２２ｊが設けられている。支持部２２ｊは、Ｚ方向の反対方向に凸状に形成されている。支持部２２ｊには、スタッドボルト等の結合具が固定され、当該結合具を介して支持部２２ｊにモータ３０のケース３０ａが固定されている。すなわち、支持部２２ｊは、モータ３０を支持している。支持部２２ｊは、モータ３０を介してファン３１を支持している。言い換えると、支持部２２ｊは、振動部材を支持している。そして、第１の頂壁２２ｄａは、支持部２２ｊ毎に設けられた角部２２ｊａを有しＺ方向に沿って見た場合に多角形状（一例として三角形状）に構成されている。なお、角部２２ｊａは、湾曲していてもよいし直角であってもよい。
【００３１】
第２の突出部２２ｆは、円環状に構成され、筐体１１の外側に向けて突出している。詳細には、第２の突出部２２ｆは、介在部２２ｋから筐体１１の外側に向けて突出している。第２の突出部２２ｆにおける内面２２ｃには、凹部２２ｎ（開口部）が設けられている。第２の突出部２２ｆは、Ｚ方向に沿って見た場合に第１の頂壁２２ｄａを囲む位置に設けられている（図４）。また、第２の突出部２２ｆは、第１の周壁２２ｄｂの第１の頂壁２２ｄａとは反対側の端部を含む第１の曲部２２ｇおよび介在部２２ｉの第１の曲部２２ｇとは反対側の端部を含む第２の曲部２２ｈを介して、第１の突出部２２ｄと接続されている。第２の突出部２２ｆは、第２の頂壁２２ｆａと、第２の周壁２２ｆｂと、第３の周壁２２ｆｃと、を有している。第２の頂壁２２ｆａは、ＸＹ平面に沿って広がっている。第２の頂壁２２ｆａは、Ｚ方向に沿って見た場合に第１の頂壁２２ｄａを囲む位置に設けられている。第２の周壁２２ｆｂは、第２の頂壁２２ｆａの内周側において環状に構成され、第２の頂壁２２ｆａの内周縁部２２ｆｄ（図５）と第２の曲部２２ｈとに接続されている。第３の周壁２２ｆｃは、第２の頂壁２２ｆａの外周側において環状に構成され、第２の頂壁２２ｆａの外周縁部２２ｆｅ（図５）に接続されている。第２の周壁２２ｆｂは、内周壁とも称され、第３の周壁２２ｆｃは、外周壁とも称される。
【００３２】
第１の曲部２２ｇは、第１の突出部２２ｄ周りに環状に構成され、第１の突出部２２ｄの第１の周壁２２ｄｂと接続されている。第２の曲部２２ｈは、第１の曲部２２ｇ周りに環状に構成され、第２の突出部２２ｆと接続されている。
【００３３】
介在部２２ｉは、第１の曲部２２ｇと第２の曲部２２ｈとの間に介在している。介在部２２ｉは、ＸＹ平面に沿った環状に構成されている。介在部２２ｉは、Ｚ方向に沿って見た場合に第１の突出部２２ｄの第１の頂壁２２ｄａを囲む位置に設けられ、第１の頂壁２２ｄａに第１の曲部２２ｇを介して接続されている。介在部２２ｉにおける外面２２ｂには、第１の突出部２２ｄと第２の突出部２２ｆとに囲まれた凹部２２ｐ（開口部、図５）が設けられている。凹部２２ｐは、凹部２２ｍと接続されている。言い換えると、凹部２２ｐは凹部２２ｍと比べて大きな開口が形成される。更に言い換えると、凹部２２ｐは第１の突出部２２ｄの第１の頂壁２２ｄａからＺ方向に向かって介在部２２ｋを介して開口部が大きくなるように設けられている。
【００３４】
介在部２２ｉは、Ｚ方向と交差する方向（例えば、Ｘ方向、Ｙ方向）に突出した複数の第３の突出部２２ｉａ〜２２ｉｄを有している。第３の突出部２２ｉａおよび第３の突出部２２ｉｃは、互いに反対方向に突出している。詳細には、第３の突出部２２ｉａは、Ｙ方向に突出し、第３の突出部２２ｉｃは、Ｙ方向の反対方向に突出している。これら第３の突出部２２ｉａおよび第３の突出部２２ｉｃは、一つの組Ｐ１を構成している。また、第３の突出部２２ｉｂおよび第３の突出部２２ｉｄは、互いに反対方向に突出している。詳細には、第３の突出部２２ｉｂは、Ｘ方向に突出し、第３の突出部２２ｉｄは、Ｘ方向の反対方向に突出している。これら第３の突出部２２ｉｂおよび第３の突出部２２ｉｄは、一つの組Ｐ２を構成している。
【００３５】
上記のように、本実施形態では、互いに反対方向に突出する二つの第３の突出部２２ｉａ〜２２ｉｄの組Ｐ１，Ｐ２が一つ以上（一例として、二つ）設けられている。組Ｐ１の第３の突出部２２ｉａ，２２ｉｃの突出方向は、Ｙ方向またはＹ方向の反対方向であり、組Ｐ２の第３の突出部２２ｉｂ，２２ｉｄの突出方向は、Ｘ方向またはＸ方向の反対方向である。すなわち、二つの組Ｐ１，Ｐ２は、互いの第３の突出部２２ｉａ〜２２ｉｄの突出方向が交差している。
【００３６】
また、図３，４，６に示されるように、天壁２２は、複数の第４の突出部２２ｑを有している。第４の突出部２２ｑは、筐体１１の外側に向けて突出している。詳細には、第４の突出部２２ｑは、当該第４の突出部２２ｑの周囲の外面２２ｂから筐体１１の外側に向けて突出している。第４の突出部２２ｑの高さは、第２の突出部２２ｆの高さと同じ若しくは低い。なお、第４の突出部２２ｑの高さは、上記に限定されるものではなく、第２の突出部２２ｆの高さを超えてもよい。すなわち、第４の突出部２２ｑの高さは、どの様な高さであってもよい。また、第４の突出部２２ｑにおける内面２２ｃには、凹部２２ｒ（開口部）が設けられている。複数の第４の突出部２２ｑは、Ｚ方向（第１の方向）に沿って見た場合に第２の突出部２２ｆを囲む位置に設けられている（図４）。また、複数の第４の突出部２２ｑは、互いに間隔をあけて設けられている。これにより、天壁２２の外面２２ｂに、複数の第４の突出部２２ｑの間に、複数の溝部２２ｓ（図３）が設けられている。複数の溝部２２ｓは、天壁２２の中心部周りに放射状に設けられている。溝部２２ｓにおける天壁２２の中心部（中心軸Ａｘ）周り幅は、第４の突出部２２ｑにおける天壁２２の中心部（中心軸Ａｘ）周り幅よりも小さい。なお、溝部２２ｓにおける天壁２２の中心部（中心軸Ａｘ）周り幅は、第４の突出部２２ｑにおける天壁２２の中心部（中心軸Ａｘ）周り幅以上であってもよい。第４の突出部２２ｑは、ビードとも称される。
【００３７】
以上のように、本実施形態では、例えば、筐体１１の天壁２２（高剛性板材）は、第１の突出部２２ｄと、介在部２２ｉと、第２の突出部２２ｆと、を有している。第１の突出部２２ｄは、振動を生じるファン３１（振動源）を取り付けるモータ３０（振動伝達部材）を支持する第１の頂壁２２ｄａと、第１の頂壁２２ｄａの外周縁部２２ｄｃに接続された第１の周壁２２ｄｂと、を有し、筐体１１の内側に向けて突出している。介在部２２ｉは、Ｚ方向（第１の方向）に沿って見た場合に第１の頂壁２２ｄａを囲む位置に設けられ、第１の周壁２２ｄｂに第１の曲部２２ｇを介して接続されている。第２の突出部２２ｆは、環状である。第２の突出部２２ｆは、Ｚ方向に沿って見た場合に第１の頂壁２２ｄａを囲む位置に設けられた第２の頂壁２２ｆａと、介在部２２ｉと第２の曲部２２ｈを介して接続され第２の頂壁２２ｆａの内周縁部２２ｆｄに接続された第２の周壁２２ｆｂと、を有し、筐体１１の外側に突出している。よって、本実施形態によれば、例えば、突出部が一つしか設けられていない構成に比べて、天壁２２の剛性が高い。したがって、ファン３１の振動（動作）に起因する天壁２２の振動（下方向の振動）を小さく抑えることができる。また、これにより、例えば、天壁２２の共振のピークの回転数を高くしやすいので、当該ピークを動作中のモータ３０の運転回転数範囲外にしやすい。
【００３８】
また、本実施形態では、例えば、天壁２２は、第１の突出部２２ｄと接続された第１の曲部２２ｇと、第２の突出部２２ｆと接続された第２の曲部２２ｈと、第１の曲部２２ｇと第２の曲部２２ｈとの間に介在した介在部２２ｉと、を有している。よって、本実施形態によれば、例えば、二つの曲部（第１の曲部２２ｇ、第２の曲部２２ｈ）によって天壁２２の剛性の向上が図られている。
【００３９】
また、本実施形態では、例えば、介在部２２ｉは、Ｚ方向と交差する方向に突出した複数の第３の突出部２２ｉａ〜２２ｉｄを有している。よって、本実施形態によれば、例えば、複数の第３の突出部２２ｉａ〜２２ｉｄによって天壁２２の剛性の向上が図られている。
【００４０】
また、本実施形態によれば、例えば、互いに反対方向に突出する二つの第３の突出部２２ｉａ〜２２ｉｄの組Ｐ１，Ｐ２が一つ以上設けられている。よって、本実施形態によれば、例えば、一つ以上の第３の突出部２２ｉａ〜２２ｉｄの組Ｐ１，Ｐ２によって天壁２２の剛性の向上が図られている。
【００４１】
また、本実施形態によれば、例えば、互いの第３の突出部２２ｉａ〜２２ｉｄの突出方向が交差する二つの組Ｐ１，Ｐ２が設けられている。よって、本実施形態によれば、例えば、互いの第３の突出部２２ｉａ〜２２ｉｄの突出方向が交差する二つの組Ｐ１，Ｐ２によって天壁２２の剛性の向上が図られている。
【００４２】
また、本実施形態では、第１の頂壁２２ｄａは、Ｚ方向に沿って見た場合にモータ３０の中心軸Ａｘ周りに位置されファン３１を支持するための複数の支持部２２ｊを有している。また、第１の頂壁２２ｄａは、支持部２２ｊ毎に設けられた角部２２ｊａを有しＺ方向に沿って見た場合に多角形状に構成されている。よって、本実施形態によれば、例えば、多角形状の第１の頂壁２２ｄａによって壁の剛性の向上が図られている。
【００４３】
なお、本実施形態では、第１の突出部２２ｄが、筐体１１の内側に向けて突出した例を説明したが、第１の突出部２２ｄは、筐体１１の外側に向けて突出していてもよい。また、本実施形態では、第２の突出部２２ｆが、筐体１１の外側に向けて突出した例を説明したが、第２の突出部２２ｆは、筐体１１の内側に向けて突出していてもよい。また、本実施形態では、第４の突出部２２ｑが、筐体１１の外側に向けて突出した例を説明したが、第４の突出部２２ｑは、筐体１１の内側に向けて突出していてもよい。また、本実施形態では、複数の第４の突出部２２ｑが、互いに間隔を空けて設けられた例を説明したが、一つの第４の突出部２２ｑが、第２の突出部２２ｆを囲む環状に構成されていてもよい。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０…空気調和機、１１…筐体、１２…熱交換器、２２…天壁（高剛性板材）、２２ｄ…第１の突出部、２２ｄａ…第１の頂壁、２２ｄｂ…第１の周壁、２２ｄｃ…外周縁部、２２ｆ…第２の突出部、２２ｆａ…第２の頂壁、２２ｆｂ…第２の周壁、２２ｆｄ…内周縁部、２２ｇ…第１の曲部、２２ｈ…第２の曲部、２２ｉ…介在部、２２ｉａ〜２２ｉｄ…第３の突出部、２２ｊ…支持部、２２ｊａ…角部、３０…モータ、３１…ファン（振動源）、Ａｘ…中心軸、Ｐ１，Ｐ２…組。
【図１】
2018162908.tif 000003
【図２】
2018162908.tif 000004
【図３】
2018162908.tif 000005
【図４】
2018162908.tif 000006
【図５】
2018162908.tif 000007
【図６】
2018162908.tif 000008